(57)【特許請求の範囲】
【請求項１】
電極ベースと前記電極ベースから突出する雄端子とを含む生物医学的電極に結合するための生物医学的電極コネクターであって、
前記電極コネクターは、電気配線ワイヤとの電気結合のために適合された電気接触材料を有するコネクターハウジングを備え、
前記コネクターハウジングは、
前記電極に隣接して位置決めされるように適合されたベース部材であって、前記ベース部材は、その中に端子スロットを規定する内部表面部分を有し、前記端子スロットは、前記電極の前記雄端子の通過を許容するように適合されている、ベース部材と、
前記ベース部材の前記端子スロットとほぼ整列するテーパー状の開口部を有する接触タブであって、前記接触タブは、前記電極の前記雄端子の少なくとも部分的な受容のために配列されている、接触タブと
を含み、
それによって、前記端子スロット内で前記雄端子が横断移動すると、前記雄端子が前記接触タブの前記テーパー状の開口部によって係合され、それによって、前記雄端子を前記コネクターハウジングに結合することを容易にする、生物医学的電極コネクター。
【請求項２】
前記配線ワイヤは、前記ベース部材に結合されている、請求項１に記載の生物医学的電極コネクター。
【請求項３】
前記端子スロットは、第１のスロット部分と第２のより狭いスロット部分とを有し、前記雄端子が前記接触タブの前記テーパー状の開口部によって係合される場合、前記雄端子は、前記第２のスロット部分の中に配置される、請求項２に記載の生物医学的電極コネクター。
【請求項４】
前記端子スロットは、鍵穴スロットである、請求項１に記載の生物医学的電極コネクター。
【請求項５】
前記接触タブは、スプリングクリップである、請求項１に記載の生物医学的電極コネクター。
【請求項６】
前記接触タブは、前記テーパー状の開口部を規定するタブ部分を有する、請求項１に記載の生物医学的電極コネクター。
【請求項７】
前記接触タブの前記タブ部分は、前記ベース部材から離れる方向に偏向させられることによって、前記電極の前記雄端子の前記少なくとも部分的な受容を容易にする、請求項６に記載の生物医学的電極コネクター
【請求項８】
前記接触タブの前記テーパー状の開口部は、比較的大きい内部寸法を有する第１の部分と、比較的小さい内部寸法を有する第２の部分とを規定し、それによって、前記端子スロット内で前記雄端子が横断移動すると、前記雄端子は、前記接触タブの前記テーパー状の開口部の前記第２の部分に隣接する前記タブ部分によって係合される、請求項１に記載の生物医学的電極コネクター。
【請求項９】
前記接触タブの前記テーパー状の開口部の前記第２の部分に隣接する前記タブ部分は、前記電極の前記雄端子の大きいヘッド部を係合するように適合されている、請求項８に記載の生物医学的電極コネクター。
【請求項１０】
前記接触タブは、十分な弾性を有し、前記雄端子が前記接触タブの前記テーパー状の開口部の前記第２の部分の中にあり、これによって、前記大きいヘッド部および電極ベースを前記コネクターハウジングの前記ベース部材に向かって引き付ける場合、前記接触タブは、前記電極の前記雄端子の前記大きいヘッド部を係合するように適合されている、請求項９に記載の生物医学的電極コネクター。
【発明の詳細な説明】
【技術分野】
【０００１】
（背景）
（１．技術分野）
本開示は、一般に、生物医学的電極に関し、そして詳細には、患者上の電極と、電気的医療デバイスとの間の電気的接続を行うための生物医学的電極コネクターに関する。
【背景技術】
【０００２】
（２．関連技術の論議）
生物医学的電極は、例えば、心電図検査法手順、母体および／または胎児モニタリング、および種々の信号ベースの更生手順を含む診断および治療医療適用で一般に用いられる。従来の生物医療的電極は、接着剤を経由して患者の皮膚に固定され、そして電極ベースから突出する雄端子またはピンを組み込む。この電気−医療デバイスと通信する電気ケーブルは、雄端子に連結される雌端子を組み込み、電極と電気−医療デバイスとの間の電気回路を完成する。雌端子を雄端子に連結するための種々の機構が公知であり、「スナップオン」連結、「ピンチクリップ」配列、「ツイストオン」カップリングまたは磁気カップリングを含む。全部ではないにしても、多くの現在利用可能な生物医学的電極は、使い捨て、すなわち、単回使用後、棄てられることが意図されている。
【発明の概要】
【課題を解決するための手段】
【０００３】
従って、本開示は、電極ベースおよびこの電極ベースから突出する雄端子を含むタイプの生物医学的電極と連結される生物医学的電極コネクターに関する。この電極コネクターは、電極配線ワイヤと電気的接続関係のために適合された電気接触材料を備えた内部腔を有するハウジングを覆い、そして電気的に絶縁するジャケットを含む。このジャケット付きハウジングは、上記電極に隣接して位置決め可能であり、そしてその中に鍵穴スロットを規定する内面部分を有する下部部材を含む。この鍵穴スロットは、上記内部腔内で受容のための上記電極の雄端子の通過を許容するように適合された第１の内部寸法を規定する第１のスロット部分、およびこの第１の寸法より小さい第２の内部寸法を規定する第２のスロット部分を有し、それによって、上記内部腔内の雄端子の横断移動に際し、この雄端子が該第２のスロット部分を規定する内面部分内に固定され、それによって上記電極を上記電極コネクターと電気的に接続する。
【０００４】
上記ジャケット付きハウジングは、上記第２のスロット部分に隣接する内部腔内に少なくとも部分的に配置される内部ランプを含み得、それによって、上記雄端子の第２のスロット部分に向かう横断移動に際し、上記内部ランプが上記雄端子を係合し、上記雄端子を上記電気接触材料との接触関係に駆動し、上記電気接触材料との電気的接続を容易にする。上記下部部材は、上記内部ランプを含み得る。上記ジャケット付きハウジングは、上部部材を含み得、ここで、この上部部材は上記内部ランプを有する。
【０００５】
上記ジャケット付きハウジングは、上記鍵穴スロット内で延びる少なくとも１つの可撓性ロック要素を含み得る。この少なくとも１つのロック要素は、上記雄端子の上記第２のスロット部分に向かう横断移動の間に曲がるように適合され、その中の上記雄端子の通過を許容し、そしてさらに上記第２のスロット部分内のその保持を容易にするために上記雄端子を係合するよう予備的曲げ状態に戻るように適合されている。上記ジャケット付きハウジングは、第１および第２の退行するロック要素を含み得る。
【０００６】
１つの実施形態では、上記ジャケット付きハウジングは上部部材を含み、この上部部材は上記電気接触材料をそれにともなって有する。それに代わって、またはそれに加えて、上記下部部材は、上記電気接触材料をそれにともなって有し得る。この下部部材はスプリングクリップを含み得る。このスプリングクリップは、上記雄端子を係合するように適合され、上記電極を上記電極コネクターと電気的に接続する。このスプリングクリップは、上記鍵穴スロットとほぼ整列し、そして上記雄端子の受容のために適合されている細長い開口部を含み得る。上記スプリングクリップは、上記雄端子と係合し、そして上記雄端子を上記ジャケット付きハウジング内で垂直に付勢するように適合されている。上記スプリングクリップの細長い開口部は、上記鍵穴スロットの第１のスロット部分とほぼ整列し、そして上記雄端子より大きい内部寸法を有する第１の開口部部分、および上記第２のスロット部分とほぼ整列し、そして雄端子より小さい内部寸法を有する第２の開口部部分を規定し得、それによって、上記雄端子の上記第１のスロット部分から上記第２のスロット部分への横断移動に際し、上記雄端子は上記電気接触材料との電気的接触に上記第２部分を規定するクリップ部分によって係合される。
【０００７】
別の実施形態では、生物医学的電極配線セットアセンブリは、少なくとも１つの電気配線ワイヤを含むケーブル、生物医学的デバイスへの連結のための１つの電気配線ワイヤの１つの端部にあるデバイスコネクター、および生物医学的電極の電極端子との連結のための１つの電気配線の他方の端部にある電極コネクターを含む。この上記電極コネクターは、上記電極に隣接して位置決め可能であり、そしてその中に鍵穴スロットを規定する内面部分を有する下部部材を含む。この鍵穴スロットは、第１の内部寸法を規定する第１のスロット部分および上記第１の内部寸法より小さい第２の内部寸法を規定する第２のスロット部分を有する。上記ジャケット付きハウジングは、生物医療用電極上に位置決め可能であり、上記電極端子は、上記第１のスロット部分内に受容され、そして上記生物医療用電極に対して滑動可能であり、それによって、上記電極端子が上記鍵穴スロットを横切り、上記第２のスロット部分内に受容され、そして上記第２のスロット部分を規定するハウジング部分との電極端子の協動係合によりその中に保持され、それによって、上記電極を上記電極コネクターと機械的および電気的に連結する。
【０００８】
複数の電極配線ワイヤ、および関連する電極コネクターが提供され得る。このケーブルは、配線セットケーブルであり得る。上記電極配線ワイヤは、上記配線セットケーブルから個々に分離可能であり得る。パッドが上記ケーブルに取り付けられ得、そして所定の身体位置に隣接して位置決めするために上記ケーブルに沿って滑動するように適合される。このパッドは、上記所定の身体位置へのパッドの取り付けを容易にする材料を有し、それによって上記ケーブルを患者に対して固定する。この材料は、感圧接着剤被覆または接着剤ヒドロゲルを含み得る。
【０００９】
上記電極コネクターは、ジャケット付きハウジングを、上記ジャケット付きハウジング内に取り付けられる下部部材とともに含む。
【００１０】
あるいは、上記電極コネクターは、それを通り、下部部材の鍵穴スロットとほぼ整列する細長いスロットを有する上部部材を含み、上記電極端子を受容し、上記電極端子の上記電極コネクター内の固定を容易にする。上記下部部材および上記上部部材は、弾性クリップを規定し得る。
【００１１】
上記に加えて、本発明は、以下を提供する：
(項目１）電極ベースおよび該電極ベースから突出する雄端子を含むタイプの生物医学的
電極と連結される生物医学的電極コネクターであって：
電気接触材料を有する内部腔を含むジャケット付きハウジングを備え、該電気接触材料が電気配線ワイヤとの電気連結関係のために適合され、該ジャケット付きハウジングが該電極に隣接して位置決め可能な下部部材を含み、かつその中に鍵穴スロットを規定する内面部分を有し、該鍵穴スロットが、該内部腔内で受容のための該電極の雄端子の通過を許容するように適合された第１の内部寸法を規定する第１のスロット部分、および該第１の内分寸法より小さい第２の内部寸法を規定する第２のスロット部分を有し、それによって、該内部腔内の雄端子の横断移動に際し、該雄端子が該第２のスロット部分を規定する内面部分内に固定され、それによって該電極を該電極コネクターと電気的に接続する、生物医学的電極コネクター。
(項目２）前記ジャケット付きハウジングが、前記第２のスロット部分に隣接する内部腔
内に少なくとも部分的に配置される内部ランプを含み、それによって、前記雄端子の第２のスロット部分に向かう横断移動に際し、該内部ランプが該雄端子を係合し、該雄端子を前記電気接触材料との接触関係に駆動し、該電気接触材料との電気的接続を容易にする、項目１に記載の生物医学的電極コネクター。
(項目３）前記下部部材が、前記内部ランプを含む、項目２に記載の生物医学的電極コネ
クター。
(項目４）前記ジャケット付きハウジングが上部部材を含み、該上部部材が前記内部ラン
プを有する、項目２に記載の生物医学的電極コネクター。
(項目５）前記ジャケット付きハウジングが、前記鍵穴スロット内で延びる少なくとも１
つの可撓性ロック要素を含み、該少なくとも１つのロック要素が、前記雄端子の前記第２のスロット部分に向かう横断移動の間に曲がるように適合され、その中の該雄端子の通過を許容し、そしてさらに該第２のスロット部分内のその保持を容易にするために該雄端子を係合するよう予備的曲げ状態に戻るように適合されている、項目１に記載の生物医学的電極コネクター。
(項目６）前記ジャケット付きハウジングが、第１および第２の退行するロック要素を含
む、項目５に記載の生物医学的電極コネクター。
(項目７）前記ジャケット付きハウジングが上部部材を含み、該上部部材が前記電気接触
材料をそれにともなって有する、項目２に記載の生物医学的電極コネクター。
(項目８）前記下部部材が、前記電気接触材料をそれにともなって有する、項目１に記載
の生物医学的電極コネクター。
(項目９）前記下部部材がスプリングクリップを含み、該スプリングクリップが前記雄端
子を係合するように適合され、前記電極を前記電極コネクターに電気的に接続する、項目８に記載の生物医学的電極コネクター。
(項目１０）前記スプリングクリップが前記鍵穴スロットとほぼ整列し、そして前記雄端
子の受容のために適合されている細長い開口部を含み、該スプリングクリップが、該雄端子と係合し、そして該雄端子を前記ジャケット付きハウジング内で付勢するように適合されている、項目９に記載の生物医学的電極コネクター。
(項目１１）前記スプリングクリップの細長い開口部が、前記鍵穴スロットの第１のスロ
ット部分とほぼ整列し、そして前記雄端子より大きい内部寸法を有する第１の開口部部分、および前記第２のスロット部分とほぼ整列し、そして第１の寸法より小さい内部寸法を有する第２の開口部部分を規定し、それによって、該雄端子の該第１のスロット部分から該第のスロット部分への横断移動に際し、該雄端子が前記電気接触材料との電気的接触に該第２スロット部分を規定するクリップ部分によって係合される、項目１０に記載の生物医学的電極コネクター。
(項目１２）生物医学的電極配線セットアセンブリであって：
少なくとも１つの電気配線ワイヤを含むケーブル；
生物医学的デバイスへの連結のための１つの電気配線ワイヤの１つの端部にあるデバイスコネクター；および
生物医学的電極の電極端子との連結のための１つの電気配線の他方の端部にある電極コネクターであって、該電極コネクターが、該電極に隣接して位置決め可能であり、そしてその中に鍵穴スロットを規定する内面部分を有する下部部材を含み、該鍵穴スロットが、第１の内部寸法を規定する第１のスロット部分および該第１の内部寸法より小さい第２の内部寸法を規定する第２のスロット部分を有し、該下部部材が該生物医学的電極上に、該電極端子が該第１のスロット部分内に受容され、そして該生物医学的電極に対して滑動可能であるように位置決め可能であり、それによって、該電極端子が該鍵穴スロットを横切り、該第２のスロット部分内に受容され、そして該第２のスロット部分を規定する下部部材部分との電極端子の協動係合によりその中に保持され、それによって、該電極を該電極コネクターと機械的および電気的に連結する電極コネクター、を備える、生物医学的電極配線セットアセンブリ。
(項目１３）複数の電極配線ワイヤ、および関連する電極コネクターを含む、項目１２に
記載の生物医学的電極配線セットアセンブリ。
(項目１４）前記ケーブルが、配線セットケーブルである、項目１３に記載の生物医学的
電極配線セットアセンブリ。
(項目１５）前記電極配線ワイヤが、該配線セットケーブルから個々に分離可能である、
項目１４に記載の生物医学的電極配線セットアセンブリ。
(項目１６）前記ケーブルに取り付けられ、そして所定の身体位置に隣接して位置決めす
るために該ケーブルに沿って滑動するように適合されるパッドを含み、該パッドが該所定の身体位置への取り付けを容易にする材料を有し、それによって該ケーブルを患者に対して固定する、項目１２に記載の生物医学的電極配線セットアセンブリ。
(項目１７）前記材料が、接着剤材料を含む、項目１６に記載の生物医学的電極配線セッ
トアセンブリ。
(項目１８）前記電極コネクターが、ジャケット付きハウジング、該ジャケット付きハウ
ジング内に取り付けられる下部部材を含む、項目１２に記載の生物医学的電極配線セットアセンブリ。
(項目１９）前記電極コネクターが、それを通り、下部部材の鍵穴スロットとほぼ整列す
る細長いスロットを有する上部部材を含み、前記電極端子を受容し、該電極端子の該電極コネクター内の固定を容易にする、項目１２に記載の生物医学的電極配線セットアセンブリ。
(項目２０）前記下部部材および前記上部部材が、弾性クリップを規定する、項目１９に
記載の生物医学的電極配線セットアセンブリ。
【００１２】
（摘要）
電極ベースおよびこの電極ベースから突出する雄端子を含むタイプの生物医学的電極と連結される生物医学的電極コネクターが提供される。この電極コネクターは、電気配線ワイヤとの電気連結関係のために適合された電気接触材料を有する内部腔を含むジャケット付きハウジングを備える。このジャケット付きハウジングは、上記電極に隣接して位置決め可能であり、かつその中に鍵穴スロットを規定する内面部分を有する下部部材を含む。この鍵穴スロットは、上記内部腔内で受容のための上記電極の雄端子の通過を許容するような第１の内部寸法を規定する第１のスロット部分、およびこの第１の寸法より小さい第２の内部寸法を規定する第２のスロット部分を有し、それによって、上記内部腔内の雄端子の横断移動に際し、上記雄端子が上記第２のスロット部分を規定する内面部分内に固定され、それによって上記電極を上記電極コネクターと電気的に接続する。
【図面の簡単な説明】
【００１３】
本明細書に援用され、そしてその一部を構成する添付の図面は、本開示の実施形態を図示し、そして上記で与えられる本開示の一般的説明、および以下で与えられる実施形態の詳細な説明とともに、本開示の原理を説明するために供される。
【図１】図１は、配線セットケーブル、調節可能な取り付けパッドおよび配線セットケーブルに取り付けられた電極コネクターを図示する本開示の原理に従う生物医療用電極配線セットアセンブリの斜視図である。
【図２】図２は、図１で識別された詳細の領域の部分斜視図であり、配線セットケーブルの配線ワイヤおよび電極コネクターを示し、この配線ワイヤの引き裂き能力を示す。
【図３】図３は、調節可能な取り付けパッドの上からの斜視図を示す。
【図４】図４は、調節可能な取り付けパッドの下からの斜視図を示す。
【図５】図５は、電極コネクターの１つの斜視図である。
【図６】図６は、図５の電極コネクターの側方断面図である。
【図７】図７は、図５の電極コネクター内に保持される電極端子を示す、切り抜き部分をともなう平面図である。
【図８】図８は、電極配線セットアセンブリとの使用のための電極コネクターの代替の実施形態の斜視図である。
【図９】図９は、図８の電極コネクターの平面図である。
【図１０】図１０は、図８の電極コネクターの切り抜き部分をともなう斜視図である。
【図１１】図１１は、図８の電極コネクターの側方断面図である。
【図１２】図１２は、電極配線セットアセンブリとの使用のための電極コネクターの代替の実施形態の上からの平面図であり、そして予備成型された状態で描写される。
【図１３】図１３は、生物医療用電極に接続された図１２の電極コネクターの横からの平面図である。
【図１４】図１４は、電極配線セットアセンブリとの使用のための電極コネクターの代替の実施形態の上からの平面図であり、そして予備成型された状態で描写される。
【図１５】図１５は、生物医療用電極に接続された図１４の電極コネクターの横からの平面図である。
【図１６】図１６は、図１４の線１６−１６に沿ってとった電極コネクターの断面図である。
【発明を実施するための形態】
【００１４】
（好ましい実施形態の詳細な説明）
本明細書に開示される電極配線セットアセンブリの例示の実施形態は、被験体に対して電気的信号を集めるか、または送達することで、外科的手順、診断手順または治療手順を実施する際の配線セットアセンブリの使用に関して論議される。このような手順は、制限されないで、心電図検査法、母体および／または胎児モニタリング、および種々の信号ベースの更生手順を含む。しかし、本開示は、被験体の疾患、身体の病気の手術、診断および関連する処置を含む多くの適用で採用され得ることが想定される。
【００１５】
以下の論議において、用語「被験体」は、ヒト患者またはその他の動物をいう。用語「臨床医」は、ドクター、看護婦またはその他の医療提供者をいい、そして支援従業者を含み得る。
【００１６】
ここで図面を参照し、同様の構成要素は、いくつかの図面全体で同様の参照番号によって指定され、図１は、本開示の原理による電極配線セットアセンブリ１０を斜視図で示す。電極配線セットアセンブリ１０は、配線セットケーブルまたはウェブ１２、この配線セットケーブル１２の一方の端部にあるデバイスコネクター１４、およびそのいくつかが配線セットケーブル１２の他方の端部にある複数の電極コネクター１６を含む。配線セットケーブル１２は、横に並んだ関係で配置された、複数の包まれ、そして絶縁された配線ワイヤ１８を含む。絶縁された配線ワイヤ１８は、ＥＭＩ／ＲＦシールドされ得る。配線セットケーブル１２は、リボンケーブル、複数コンダクターシールドケーブル、または電気的信号を伝達する任意のその他のケーブルであり得る。
【００１７】
図２に描写されるように、各配線ワイヤ１８は、隣接する配線ワイヤ１８から独立に分離可能であり、所定の身体位置で個々の電極コネクター１６の配置を容易にし、それによって、各被験体に対する配線セットアセンブリ１０のカスタマイズを可能にし、すなわち、各配線ワイヤ１８は、配線セットケーブル１２から独立に分離可能であり得る。図２では、電極コネクター１６の部分を取り出して示される。１つの実施形態では、配線ワイヤ１８は、それらの絶縁被覆を経由して取り付けられ、そして隣接する配線ワイヤ１８の絶縁カバーの接続部の個々の線に沿って分離可能である。別の実施形態では、配線セットケーブル１２は、可撓性基質または裏打ちを含み、これは、望ましくは、それらの長さの主要部分に沿って配線ワイヤ１８を分離するように分離可能である。配線セットケーブル１２の個々の配線ワイヤ１８は、長さが異なり得、標的部位、例えば、胸部または腹部を横切って個々の電気コネクター１６の配置を可能にし、これらの位置で生物医療用信号の回収または送達を許容する。図１は、残りの配線ワイヤ１８のほぼ１／２長さである１つの個々の配線ワイヤ１８を図示する。
【００１８】
医療用デバイスコネクター１４は、心電図検査法装置、胎児または母体モニタリング装置、または患者への治療理由のために電気的インパルスまたは信号を伝達するよう適合された信号発生器のような医療用デバイスへの接続のために適合された任意の適切なコネクターであり得る。１つの適切な医療用デバイスコネクターは、ＲＪ１４、ＲＪ２５、およびＲＪ４５コネクターを含むＲｅｇｉｓｔｅｒｅｄ  Ｊａｃｋのために用いられるのと類似のモジュラーコネクターであり得る。
【００１９】
ここで、図１と組み合わせて図３〜４を参照し、配線セットアセンブリ１０は、配線セットケーブル１２の周りに取り付けられた取り付けパッド２０をさらに含み得る。１つの実施形態では、取り付けパッド２０は、配線セットケーブル１２を受容する閉鎖ループ２４を有するベース２２を含む。取り付けパッド２０の他方の側面上には、可撓性の取り付け要素２６があり、これは、身体組織に隣接して位置決めするために適合されている。可撓性の取り付け要素２６は、その組織接触面上に、感圧接着剤被覆または接着剤ヒドロゲルのような適切な材料を有し得、これは、被験体への取り付けパッド２０の固定を容易にする。取り付けパッド２０は、ベース２２の閉鎖ループ２４を通って滑動する配線セットケーブル１２のために、配線セットケーブル１２に対して滑動可能に取り付けられる。この配列で、取り付けパッド２０は、選択的に位置決めされ得、そして被験体に所望の位置で取り付けられ、それによって、被験体に対する配線セットケーブル１２および配線セットアセンブリ１０の固定を容易にする。
【００２０】
図５〜７をここで参照し、配線セットアセンブリ１０の電極コネクター１６が論議される。電極コネクター１６は、上部部材３０および下部部材３２を有し、そしてそれらの間に内部腔３４を規定するジャケット付きハウジング２８を含む。ジャケット付きハウジング２８は、非伝導性材料、例えば、ジャケット付きハウジング２８内の伝導性要素から被験体を電気的に絶縁するオーバーモールドされたポリマーの外部ジャケット２８ａを含む。図６では、外部ジャケット２８ａの一部分は除去されている。上部部材３０および下部部材３２は、従来手段によって互いに付着された別個の構成要素であり得るか、または単一の一体に形成された構成要素であり得、ジャケット付きハウジング２８の伝導性要素を形成する。ジャケット付きハウジング２８の上部部材３０は、個々の配線ワイヤ１８に電気的に接続される配線ワイヤ端子３６を有する。ジャケット付きハウジング２８の下部部材３２は、それを通って延び、そしてジャケット付きハウジング２８の内部腔３４と連通する鍵穴スロット３８を規定する。鍵穴スロット３８は、第１のスロット部分４０と第２のスロット部分４２を含む。第１のスロット部分４０は、第２のスロット部分４２の対応する内部寸法または直径より大きい内部寸法または直径を規定する。下部部材３２は、第１および第２のスロット部分４０、４２の接続部に複数の可撓性のロック要素４４をさらに含む。ロック部材４４は、内側に曲がるように適合されているが、図７に描写されるようなそれらの初期位置に戻るに十分な弾性を有している。これに関し、ロック要素４４は、ステンレス鋼、チタン、またはポリマー材料を含む任意の可撓性のスプリング様材料から形成され得る。
【００２１】
電極コネクター１６は、生物医療用電極４６への接続のために適合されている。図６に最も良く描写されるように、生物医療用電極４６は、電極フランジまたはベース４８、およびこの電極ベース４８に対し横断関係で延びる雄スタッドまたは雄端子５０を組み込む。雄端子５０は、球根状配列を有し得、それによって雄端子５０上部分５０ａは、この雄端子５０の下部分より大きな断面寸法を有する。感圧接着剤被覆および接着剤ヒドロゲル（図示されず）が、電極ベース４８の組織接触面に付与され得、被験体への電気的接続を増大し、この被験体への／からの生物医療信号を受容／伝達する。上方に延びる雄端子またはピン５０を有する任意の市販され、利用可能な生物医療用電極４６が利用され得る。
【００２２】
電極の配線セットアセンブリ１０の使用において、この配線セットアセンブリ１０は、被験体の身体に隣接して配置される。生物医療用電極４６は、必要と見なされる身体上に位置決めされ、そして感圧接着剤または接着剤ヒドロゲルなどの使用で身体に固定される。各電極コネクター１６は、次いで、関連する電極４６に対して位置決めされる。認識されように、個々の生物医療用電極４６に連結される配線ワイヤ１８は、配線セットケーブル１２から分離され得、電極コネクター１６への連結のために配線ワイヤ１８の選択的な個々の位置決めを許容する。電極コネクター１６は、生物医療用電極４６の雄端子５０が下部部材３２の鍵穴スロット３８の第１のスロット部分４０内に受容されるように位置決めされる。その後、電極コネクター１６は、生物医療用電極４６に対して滑動され、それによって、雄端子５０は、鍵穴スロット３８の第２のスロット部分４２内に受容されるよう第１のスロット部分４０を横切る。この横断移動の間に、ロック要素４４は内包に曲がり、雄端子５０の通過を許容し、それによって、この雄端子５０の撤去に際し、ロック要素４４は、図７に描写されるようなそれらの初期位置に戻る。この位置では、配線ワイヤ端子３６の接触表面は、生物医療用電極４６の雄端子５０の上面と接触し、それによって電気的回路を完成する。それ故、電極コネクター１６の鍵穴スロット３８のこの配列で、電極コネクター１６を生物医療用電極４６に固定するために最小の下方の力ですむか、または下方の力は不要である。従って、生物医療用電極４６の所望されない移動の可能性は最小になり、それによって上記手順の一体性を維持し、そして被験体の胸部または腹部上の痛みの難儀を最小にする。
【００２３】
図８〜１１は、電極コネクターの代替の実施形態を示す。電極コネクター１００は、ジャケットハウジリング１０２内の配線ワイヤ端子１０６に連結するために延びる配線ワイヤ１０４を有するジャケット付きハウジング１０２を含む。ジャケット付きハウジング１０２は、絶縁性または非伝導性材料の外部ジャケット１０２ａを有する。ジャケット付きハウジング１０２の下部部材１０８は、図５〜７と組み合わせて本明細書で上記に記載された鍵穴スロットと同様に、鍵穴スロット１１０を規定する。特に、鍵穴スロット１１０は、比較的大きな内部寸法または直径を規定する第１のスロット部分１１２、および第１のスロット部分１１２のそれより小さい内部寸法または直径を規定する第２のスロット部分１１４を含む。下部部材１０８は、少なくとも第２のスロット部分１１４に外接し、そして、好ましくは、第１のスロット部分１１２の周縁領域に沿って延びる弧状のレリーフ開口部または切り抜き１１６をさらに含む。この配列は、それによって、ジャケット付きハウジング１０２に対して片持ち（カンチレバー）関係で延びる下部部材１０８内の電極接触タブ１１８を規定する。１つの実施形態では、接触タブ１１８は、第１のスロット部分１１２と第２のスロット部分１１４とのほぼ接続部で内部ランプ面１２０と対向する。ランプ面１２０は、下部部材１０８に対して斜めに配列され、そして雄端子５０が鍵穴スロット１１０の第２のスロット部分１１４内に受容されるよう第１のスロット部分１１２を横切るとき、生物医療用電極４６の雄端子５０に上方の力を提供する。ランプ面１２０は、生物医療用電極４６の雄端子５０を配線ワイヤ端子１０６の接触面との接触に引くような形態および寸法であり、それによって、配線ワイヤ端子１０６と電極４６との間の良好に確立されたか、または有効な電気的接触を確実にする。さらに、ランプ面１２０は、雄端子５０を、ジャケット付きハウジング１０２中に、電極ベースまたはフランジ４８が下部部材１０８と電気的に接触させるような様式で引く。それ故、ランプ面１２０の配列のために、タブ１１８と生物医療用電極４６との間の接触が少なくとも以下の位置に沿って確立される：１）電極４６の雄端子５０の上面とジャケット付きハウジング１０２内の上部部材１２２との間；２）雄端子５０の外側または胴面と接触タブ１１８（すなわち、第２のスロット部分１１４を規定する内部エッジまたは面）との間；および３）電極ベース４８と下部部材１０８との間。
【００２４】
この実施形態では、電極コネクター１００は、ロック要素がない。むしろ、電極４６の雄端子５０は、下部部材１０８の製作の材料の固有の弾性に起因して、電極接触タブ１１８の第２のスロット部分１１４内に保持される。１つの実施形態では、第１のスロット部分１１２と第２のスロット部分１１４との間の接続領域１２４ａおよび１２４ｂは、弾性的に可撓性であり、そして電極４６の雄端子５０の寸法より小さい寸法を規定する。接続領域１２４ａおよび１２４ｂは、弧状レリーフ開口部１１６によって提供されるように外方に曲がり得、雄端子５０の通過を許容し、そして次に、図９で描写されるような初期位置にそれ自体の弾性特徴の下で戻り、電極の雄端子５０をそれとの電気的接触に確実に契合する。さらなる代替として、下部部材１０８は、電極接触タブ１１８と下部部材１０８との間に延びる弧状の補強領域またはタブ１２６を有し得る。補強タブ１２６は、望ましくは、この領域に沿って特定の強度または剛直性を付加し得、雄端子５０が第２のスロット部分１１４内に強固に係合することを確実にする。補強タブ１２６は、下部部材１０８に一体化される任意の適切な比較的剛性の材料であり得る。
【００２５】
図１２〜１３は、電極コネクター２００の伝導性部分の代替の実施形態を示す。種々の金属打ち抜きが想定される：図１２は、予備成型された状態の電極コネクター２００を示す。この実施形態によれば、電極コネクター２００は、本明細書の以下で論議されるように絶縁ジャケット内に囲われ得るスプリングクリップ２０２を含む。スプリリングクリップ２０２は、配線ワイヤ１８に接続する配線端子２０４を含む。配線端子２０４に従属するのは、ベース２０８および電極接触タブ２１０を有するコネクター部分２０６である。ベース２０８は、第１のスロット部分２１４と第２のスロット部分２１６を規定する改変された鍵穴スロット２１２を規定する。第１のスロット部分２１４は、第２のスロット部分２１６の内部寸法または直径より大きい内部寸法または直径を規定する。作動位置では、電極接触タブ２１０はそれ自体の上で曲がり、図１３に描写されるように鍵穴スロット２１２に重なる。この位置では、電極接触タブ２１２は、電極４６の雄端子５０の上面と接触し、コネクター２００の電極４６との電気的カップリングを行う。
【００２６】
使用において、図１３の配列中のスプリリングクリップ２０２は、鍵穴スロット２０８の第１のスロット部分２１４内に受容されるように雄端子５０上に位置決めされる。スプリングクリップ２０２は、雄端子５０に対して滑動され、それによって、雄端子５０は、第２のスロット部分２１６内の受容のために鍵穴スロット２１２を横切る。１つの実施形態では、第１のスロット部分２１４と第２のスロット部分２１６との接続部は、雄端子５０の寸法より小さいそれらの間の寸法を規定する、対向する内部スリーブ２１８を規定する。鍵穴スロット２１２内の雄端子５０の横断移動に際し、スリーブ２１８は外方に付勢され、雄端子５０の通過を許容し、その一方、それらの弾性特徴の下、図１２の通常位置まで戻り、それによって雄端子５０を第２のスロット部分２１６内に保持する。雄端子５０を第２のスロット部分２１６内にして、電極接触タブ２１０は、雄端子５０の上面に接触し、それによって、電極４６と電極コネクター２００との間の電気的カップリングを確立する。
【００２７】
図１４〜１６は、電極コネクター３００の伝導性部分の別の実施形態を示す。図１４は、予備成型された状態にある電気コネクター３００を示す。コネクター３００は、図１２〜１３と組み合わせて論議したコネクター２００と類似である。電極接触タブ３０２は、線形様式で漸次増加する寸法を有する細長い開口部３０４を規定する。さらに、細長い開口部３０４を規定する内部部分３０６は、図１６に描写されるように上方に巻くか、または曲げられる。図１５は、鍵穴スロット３０８とほぼ整列して巻かれる電極接触タブ３０２を示す。それ故、使用において、雄端子５０は、鍵穴スロット３０８内、特に電極接触タブも３０２の第１のスロット部分３１０内、そして細長い開口部３０４内に受容される。その後、電極コネクター３００は、電極４６に対して直線状に移動し、それによって電極４６の雄端子５０は、第２のスロット部分３１２、および電極接触タブ３０２の細長い開口部３０４のより狭い部分内の受容のために鍵穴スロット３０８を横切る。細長い開口部３０４のより狭い部分は、電極コネクター３００の雄端子５０に対する移動に抵抗するために供される。さらに、巻かれたか、または曲げられた内部部分３０６は、細長い開口部３０４を通る雄端子５０の通過を容易にする。さらに、電極接触タブ３０２は、その固有の弾性および曲がった内部部分３０６の配列により、電極４６の雄端子５０の上部球根状部分５０ａを係合し、そして上方方向に持ち上げ、電極４６のフランジ４８が電極接触タブ３０２の下部またはベース部材３１４と電気的接触関係で係合するようにし、それによって、例えば、２つの位置で適正な電気的接続を確実にする。下部部材３１４と上部部材３１６との間の高さまたは距離「ｈ」は、電極フランジ４８と雄端子５０の球根状部分５０ａとの間の距離に、少なくとも等しいか、またはそれより大きく、電極４６が電極接触タブ３０２内に固定されるとき、上部部材３１６が電極４６を上方方向に垂直に付勢し、所望の電気的接触を確立することを容易にする。
【００２８】
本開示の例示の実施形態を、添付の図面を参照して本明細書中に説明してきたが、本開示は、これらとまさに同じ実施形態に制限されるのではなく、しかも、種々のその他の変更または改変が、本開示の範囲および思想から逸脱することなく当業者によってその中で行われ得ることが理解されるべきである。
【図１】
0005795779.tif 000002
【図２】
0005795779.tif 000003
【図３】
0005795779.tif 000004
【図４】
0005795779.tif 000005
【図５】
0005795779.tif 000006
【図６】
0005795779.tif 000007
【図７】
0005795779.tif 000008
【図８】
0005795779.tif 000009
【図９】
0005795779.tif 000010
【図１０】
0005795779.tif 000011
【図１１】
0005795779.tif 000012
【図１２】
0005795779.tif 000013
【図１３】
0005795779.tif 000014
【図１４】
0005795779.tif 000015
【図１５】
0005795779.tif 000016
【図１６】
0005795779.tif 000017